(57)【要約】      （修正有）【課題】台所シンクからの排水が開始されてから、サイホン力が発生するまでのタイムラグを少なくし、横引き管の上流側での排水の滞留を抑制できるサイホン排水システムを提供する。【解決手段】サイホン排水システム１０は、台所シンク１６と、台所シンク１６に接続された第１排水管３１と、第１排水管３１の下流側に接続された排水トラップ１８と、排水トラップ１８の下流側に接続された第２排水管３２と、第２排水管３２の下流側に接続されたサイホン排水管２３の横引き管２１と、横引き管２１の下流側に接続され、横引き管２１から排水を下方へ流すサイホン排水管２３の竪管２２と、横引き管２１と竪管２２との境界部、又は竪管２２に接続され、竪管２２に呼び水を供給可能な給水部４０と、を有する。【選択図】図１
2020020201.tif 000002
【特許請求の範囲】
【請求項１】
水廻り器具に接続された第１排水管と、
前記第１排水管の下流側に接続された排水トラップと、
前記排水トラップの下流側に接続された第２排水管と、
前記第２排水管の下流側に接続されたサイホン排水管の横引き管と、
前記横引き管の下流側に接続され、前記横引き管からの排水を下方へ流す前記サイホン排水管の竪管と、
前記横引き管と前記竪管との境界部、又は前記竪管に接続され、前記竪管に呼び水を供給可能な給水部と、
を有するサイホン排水システム。
【請求項２】
前記第２排水管には、前記第２排水管での排水の通過を検知する第１センサが設けられ、
前記第１センサからの信号に基づき前記給水部の作動を制御する制御部を更に有し、
前記第１センサにより第２排水管における排水の通過が検知されると、前記制御部が前記給水部を作動させ、前記竪管に呼び水が供給される請求項１に記載のサイホン排水システム。
【請求項３】
前記第１排水管には、前記第１排水管の水位を検知する第２センサが設けられ、
前記第２センサにより前記第１排水管の水位が所定値を超えたことが検知されると、前記制御部がアラームを発報する請求項２に記載のサイホン排水システム。
【請求項４】
前記第１センサの計測ログ、前記第２センサの計測ログ及び前記アラームの発報が、データとして保存される請求項３に記載のサイホン排水システム。
【請求項５】
前記データは、ネットワークを介して記憶装置に保存される請求項４に記載のサイホン排水システム。
【請求項６】
前記横引き管と前記竪管との境界部には、前記給水部の配管と接続される接続口が設けられており、
前記配管は、前記接続口から取外し可能とされている請求項１〜請求項５の何れか１項に記載のサイホン排水システム。
【発明の詳細な説明】
【技術分野】
【０００１】
本発明は、サイホン排水システムに関する。
【背景技術】
【０００２】
水廻り器具と、サイホン排水管との間に、排水の一時貯留槽が接続されたサイホン排水システムが開示されている。この一時貯留槽は、スラブと床面との間の床下空間に配置されている。
【先行技術文献】
【特許文献】
【０００３】
【特許文献１】特開２００７−３１５０３６号公報
【発明の概要】
【発明が解決しようとする課題】
【０００４】
サイホン排水管は、横引き管（水平管）と、該横引き管からの排水を下方へ流す竪管とを有している。排水が横引き管内を移動して竪管に入り、該竪管内が満流になると、竪管内を落下する排水の位置エネルギーによってサイホン力が発生し、後続の排水が竪管に引き込まれて排水される。
【０００５】
このとき、横引き管が長いと、横引き管内を移動する排水が竪管に到達し、サイホン力が発生するまでにより多くの時間を要する。また、水廻り器具からの排水量が多いと、排水が横引き管の上流側に滞留する場合がある。上記した従来例に記載の一時貯留槽は、この滞留を抑制するために用いられる。
【０００６】
しかしながら、一時貯留槽にはある程度の高さが必要であり、この高さに応じて床下空間を確保する必要がある。更なる低床化のためには、一時貯留槽を不要とするか、一時貯留槽を小型化することが望まれている。
【０００７】
本発明は、水廻り器具からの排水が開始されてから、サイホン力が発生するまでのタイムラグを少なくし、横引き管の上流側での排水の滞留を抑制することを目的とする。
【課題を解決するための手段】
【０００８】
第１の態様に係るサイホン排水システムは、水廻り器具に接続された第１排水管と、前記第１排水管の下流側に接続された排水トラップと、前記排水トラップの下流側に接続された第２排水管と、前記第２排水管の下流側に接続されたサイホン排水管の横引き管と、前記横引き管の下流側に接続され、前記横引き管からの排水を下方へ流す前記サイホン排水管の竪管と、前記横引き管と前記竪管との境界部、又は前記竪管に接続され、前記竪管に呼び水を供給可能な給水部と、を有する。
【０００９】
このサイホン排水システムでは、給水部により、サイホン排水管の竪管に呼び水を供給可能である。水廻り器具からの排水がサイホン排水管の横引き管内を移動し、竪管に到達していない時でも、呼び水が竪管に供給されることで竪管内が満流になり、サイホン力が発生する。一旦サイホン力が発生すると、横引き管に負圧が生じ、横引き管内の排水と呼び水との間に位置する空気が竪管に引き込まれると共に、横引き管内の排水も竪管に引き込まれる。したがって、竪管に呼び水を供給しない場合と比較して、水廻り器具からの排水が開始されてからサイホン力が発生するまでの時間が短くなる。このため、横引き管が長い場合や、水廻り器具からの排水量が多い場合でも、排水が横引き管の上流側に滞留することがない。
【００１０】
第２の態様は、第１の態様に係るサイホン排水システムにおいて、前記第２排水管には、前記第２排水管での排水の通過を検知する第１センサが設けられ、前記第１センサからの信号に基づき前記給水部の作動を制御する制御部を更に有し、前記第１センサにより第２排水管における排水の通過が検知されると、前記制御部が前記給水部を作動させ、前記竪管に呼び水が供給される。
【００１１】
このサイホン排水システムでは、排水トラップと横引き管との間に接続された第２排水管に、該第２排水管での排水の通過を検知する第１センサが設けられている。第２排水管における排水の通過が第１センサにより検知されると、制御部が給水部を作動させ、竪管に呼び水を供給する。したがって、排水がサイホン排水管の横引き管に概ね到達する適切なタイミングで竪管に呼び水を供給できるので、更に排水の滞留が起こり難くなる。
【００１２】
第３の態様は、第２の態様に係るサイホン排水システムにおいて、前記第１排水管には、前記第１排水管の水位を検知する第２センサが設けられ、前記第２センサにより前記第１排水管の水位が所定値を超えたことが検知されると、前記制御部がアラームを発報する。
【００１３】
このサイホン排水システムでは、水廻り器具と排水トラップとの間に接続された第１排水管に、該第１排水管の水位を検知する第２センサが設けられている。第１排水管の水位が所定値を超えたことが第２センサにより検知されると、制御部がアラームを発報する。第１排水管の水位が所定値を超えたときには、排水トラップの上流側に排水が滞留しており、サイホン排水管に排水不良（故障）が生じていると考えることができる。このサイホン排水システムでは、このような排水不良の発生をアラームにより使用者に知らせることができる。
【００１４】
第４の態様は、第３の態様に係るサイホン排水システムにおいて、前記第１センサの計測ログ、前記第２センサの計測ログ及び前記アラームの発報が、データとして保存される。
【００１５】
このサイホン排水システムでは、第１センサの計測ログ、第２センサの計測ログ及びアラームの発報が、データとして保存されるので、サイホン排水管における排水不良の履歴を容易に確認することができる。
【００１６】
第５の態様は、第４の態様に係るサイホン排水システムにおいて、前記データは、ネットワークを介して記憶装置に保存される。
【００１７】
このサイホン排水システムでは、第１センサの計測ログ、第２センサの計測ログ及びアラームの発報のデータが、ネットワークを介して記憶装置に保存されるので、サイホン排水管における排水不良の発生を遠隔で検知したり、排水不良の履歴を遠隔で確認したりすることができる。
【００１８】
第６の態様は、第１〜第５の態様の何れか１態様に係るサイホン排水システムにおいて、前記横引き管と前記竪管との境界部には、前記給水部の配管と接続される接続口が設けられており、前記配管は、前記接続口から取外し可能とされている。
【００１９】
このサイホン排水システムでは、給水部の配管が、横引き管と竪管との境界部に設けられた接続口から取外し可能とされているので、給水部の配管を接続口から取り外すことで、該接続口をサイホン排水管の清掃口として使用することができる。このため、サイホン排水管における排水不良の発生時等、緊急対応的にサイホン排水管の清掃や点検を行い易い。
【発明の効果】
【００２０】
本発明に係るサイホン排水システムによれば、水廻り器具からの排水が開始されてから、サイホン力が発生するまでのタイムラグを少なくし、横引き管の上流側での排水の滞留を抑制することができる。
【図面の簡単な説明】
【００２１】
【図１】第１実施形態に係るサイホン排水システムの概要を示す断面図である。
【図２】第１実施形態に係るサイホン排水システムの概要を示す正面図である。
【図３】給水部の配管とサイホン排水管との接続部の変形例を示す拡大部分断面図である。
【図４】第２実施形態に係るサイホン排水システムの概要を示す断面図である。
【図５】第２実施形態に係るサイホン排水システムにおいて、給水部の配管を接続口から取り外した状態を示す断面図である。
【発明を実施するための形態】
【００２２】
以下、本発明を実施するための形態を図面に基づき説明する。
【００２３】
［第１実施形態］
まず、本実施形態に係るサイホン排水システム１０の全体構成を説明する。図１には、本実施形態に係るサイホン排水システム１０の全体構成が概略図にて示されている。サイホン排水システム１０は、サイホン力を利用して水廻り器具からの排水を効率よく排出する排水システムである。このサイホン排水システム１０は、第１排水管３１と、排水トラップ１８と、第２排水管３２と、横引き管２１と、竪管２２と、給水部４０と、を有している。
【００２４】
サイホン排水システム１０は、例えば複数階で構成された集合住宅に用いられ、図１に示すように、排水を下方へ流す排水立て管１２を備えている。この排水立て管１２は、集合住宅の上下方向（縦方向）に延設され、集合住宅の各階の床スラブ１４を貫いている。
【００２５】
集合住宅の各階には、水廻り器具の一例としての台所シンク１６が設けられている。この台所シンク１６の底部には、排水部３０が設けられている。排水部３０は、台所シンク１６の底部に設けられた排水口１６Ａに開口するように設置されている。台所シンク１６からの排水は、排水口１６Ａを通じて排水部３０へ流入するようになっている。
【００２６】
第１排水管３１は、台所シンク１６の排水部３０に接続されている。この第１排水管３１は上下方向に延設され、排水部３０から下方に延びている。排水トラップ１８は、第１排水管３１の下流側に接続されている。排水トラップ１８は、例えばＳ字トラップである。第２排水管３２は、排水トラップ１８の下流側に接続されている。この第２排水管３２は、上下方向に延設され、排水トラップ１８の下流側端部から床スラブ１４の上面近くまで下方に延びている。
【００２７】
サイホン排水管２３は、横引き管２１及び竪管２２を含んで構成されている。横引き管２１は、第２排水管３２の下流側に接続された管である。横引き管２１は、床スラブ１４上に無勾配で横方向に延設されている。第２排水管３２から横引き管２１に流入した排水は、該横引き管２１内を横方向へ流れるようになっている。
【００２８】
竪管２２は、横引き管２１の下流側に接続され、横引き管２１から排水を下方へ流す管である。竪管２２は、排水立て管１２に沿って、上下方向（縦方向）に延設されている。横引き管２１から竪管２２へ流入した排水等を下方へ落下させることによりサイホン力が発生する。竪管２２の下流側端部と排水立て管１２の間には、両者を連結する排水継手５０が設けられている。排水継手５０は、竪管２２からの排水等を排水立て管１２へ合流させる。サイホン排水管２３における横引き管２１の内径と竪管２２の内径は、台所シンク１６からの排水が満水の状態で流れ易くなるように、例えば２０ｍｍとされている。
【００２９】
給水部４０は、横引き管２１と竪管２２との境界部、又は竪管２２に接続され、竪管２２に呼び水を供給可能に構成されている。ここで、境界部とは、横引き管２１と竪管２２とが接続される部だけでなく、竪管２２より上流側である横引き管２１の下流側の端部を含む。本実施形態では、横引き管２１と竪管２２との接続部に、弧状に湾曲した湾曲部４４（エルボ管、又はＬ字管）が設けられている。
【００３０】
図１、図２に示される例では、給水部４０の配管４２の下端が、竪管２２の上端に接続されている。換言すれば、竪管２２の上方への延長上に配管４２が設けられている。一方、図３に示される例では、配管４２が、湾曲部４４に対して接線方向に接続されている。横引き管２１の上流側と配管４２とがなす角度θが鋭角となっている。これにより、配管４２から竪管２２へ呼び水が流れ易くなり（矢印Ａ方向）、横引き管２１の上流側へ逆流し難くなっている（矢印Ｂ方向）。この構成は、呼び水の量が多い場合に特に有効である。
【００３１】
サイホン力を早期に発生させ、横引き管２１の上流側への呼び水の逆流を抑制するために、サイホン排水管２３に対する給水部４０の配管４２の接続箇所は、竪管２２になるべく近いことが望ましい。なお、呼び水によりサイホン力を発生させることができれば、給水部４０の配管４２は、竪管２２の上端より下側に接続されていてもよい。
【００３２】
給水部４０には、呼び水の供給の有無を切り替える弁４６が設けられている。この弁４６の開閉は、後述する制御部３４（図２）により制御されるようになっている。
【００３３】
図２において、第２排水管３２には、第２排水管３２での排水の通過を検知する第１センサ５１が設けられている。第１センサ５１として、例えば圧力センサや導電センサを用いることができる。なお、第１センサ５１は、第２排水管３２に排水が流れて来たことを検知できるものであれば、どのようなセンサを用いてもよい。
【００３４】
第１センサ５１による検知位置は、例えば第２排水管３２の下端部である。これは、排水がサイホン排水管２３の横引き管２１に流入するタイミングを検知し易いからである。なお、第１センサ５１による検知位置は、第２排水管３２における他の位置であってもよい。また、第１センサ５１を複数設けてもよい。この場合、第２排水管３２での排水の滞留を検知することも可能となる。
【００３５】
サイホン排水システム１０は、制御部３４を更に有している。制御部３４は、第１センサ５１からの信号に基づき給水部４０の作動、具体的には、弁４６の開閉を制御する部位である。第１センサ５１により第２排水管３２における排水の通過が検知されると、制御部３４が給水部４０を作動させ、竪管２２に呼び水が供給されるようになっている。具体的には、制御部３４が弁４６を開くことで、配管４２を通じて竪管２２に呼び水が供給されるようになっている。
【００３６】
給水部４０の配管４２は例えば上水道に接続されているが、これに限られず、雨水等の貯水タンク（図示せず）に接続されていてもよい。つまり、呼び水は、水道水だけでなく、貯め水であってもよい。
【００３７】
第１排水管３１には、第１排水管３１の水位を検知する第２センサ５２が設けられている。第２センサ５２は、制御部３４に接続されている。第２センサ５２により第１排水管３１の水位が所定値を超えたことが検知されると、制御部３４がアラーム３６を発報するようになっている。第２センサ５２は、第１排水管３１での排水の滞留を検知するためのセンサである。第２センサ５２としては、例えばフロートセンサや、水面の高さを検知するレーザセンサを用いることができる。なお、第２センサ５２は、第１排水管３１での排水の滞留を検知できるものであれば、どのようなセンサを用いてもよい。第２センサ５２による検知位置は、例えば第１排水管３１の上下方向の中央部である。
【００３８】
なお、第２センサ５２による検知位置は、第１排水管３１における他の位置であってもよい。第１排水管３１での排水の滞留を早期に検知するには、第２センサ５２による検知位置は、第１排水管３１の下部に設定される。また、第２センサ５２を複数設けてもよい。複数の第２センサ５２を用いることで、第１排水管３１を排水が流れているのか滞留しているのかをより正確に判定できる。
【００３９】
第１センサ５１の計測ログ、第２センサ５２の計測ログ及びアラーム３６の発報は、データとして保存されるようになっている。具体的には、データは、ネットワーク４８を介して記憶装置４９に保存されるようになっている。記憶装置４９は、サイホン排水システム１０が設置される集合住宅から離れた遠隔地に設置されてもよいし、当該集合住宅内に設置されてもよい。記憶装置４９が遠隔地に設置される場合、ネットワーク４８はインターネット等のＷＡＮ(Wide Area Network)を含む。記憶装置４９が集合住宅に設置される場合、ネットワーク４８はＬＡＮ(Local Area Network)に相当する。なお、ネットワーク４８を用いずに、制御部３４内又はその近傍に記憶装置（図示せず）を設け、該記憶装置にデータを保存するようにしてもよい。
【００４０】
（作用）
本実施形態は、上記のように構成されており、以下その作用について説明する。図１において、このサイホン排水システム１０によれば、台所シンク１６から排出された排水は、排水部３０を経て第１排水管３１、排水トラップ１８、第２排水管３２を順に流れ、更にサイホン排水管２３における無勾配の横引き管２１内を横方向へ流れる。次いで、排水は、竪管２２を落下し、竪管２２におけるサイホン水頭Ｈｓの位置エネルギーにより、サイホン力が起動する。このサイホン力により、サイホン排水管２３の横引き管２１及び竪管２２内の排水、更には第２排水管３２内の排水が誘導され、その排水が促進される。このため、竪管２２側へ下る下り勾配が横引き管２１になくとも、サイホン力により、排水等を導くことができる。なお、横引き管２１には、竪管２２側へ下る下り勾配があってもよい。
【００４１】
また、本実施形態では、給水部４０により、サイホン排水管２３の竪管２２に呼び水を供給可能である。台所シンク１６からの排水がサイホン排水管２３の横引き管２１内を移動し、竪管２２に到達していない時でも、呼び水が竪管２２に供給されることで竪管２２内が満流になり、サイホン力が発生する。一旦サイホン力が発生すると、横引き管２１に負圧が生じ、横引き管２１内の排水と呼び水との間に位置する空気が竪管２２に引き込まれると共に、横引き管２１内の排水も竪管２２に引き込まれる。したがって、竪管２２に呼び水を供給しない場合や、第２排水管３２等、横引き管２１の上流側に呼び水を供給する場合と比較して、台所シンク１６からの排水が開始されてからサイホン力が発生するまでの時間が短くなる。このため、横引き管２１が長い場合や、台所シンク１６からの排水量が多い場合でも、排水が横引き管２１の上流側に滞留することがない。
【００４２】
また、図２に示されるように、本実施形態では、排水トラップ１８と横引き管２１との間に接続された第２排水管３２に、該第２排水管３２での排水の通過を検知する第１センサ５１が設けられている。第２排水管３２における排水の通過が第１センサ５１により検知されると、制御部３４が給水部４０を作動させる。具体的には、制御部３４により給水部４０の弁４６が開かれる。これにより、配管４２から竪管２２に呼び水が供給される。したがって、排水がサイホン排水管２３の横引き管２１に概ね到達する適切なタイミングで竪管２２に呼び水を供給できるので、更に排水の滞留が起こり難くなる。
【００４３】
更に、本実施形態では、台所シンク１６と排水トラップ１８との間に接続された第１排水管３１に、該第１排水管３１の水位を検知すると共に制御部３４に接続された第２センサ５２が設けられている。第１排水管３１の水位が所定値を超えたことが第２センサ５２により検知されると、制御部３４がアラーム３６を発報する。第１排水管３１の水位が所定値を超えたときには、排水トラップ１８の上流側の第１排水管３１に排水が滞留しており、サイホン排水管２３に排水不良（故障）が生じていると考えることができる。本実施形態では、このような排水不良の発生をアラーム３６により使用者に知らせることができる。
【００４４】
また、本実施形態では、第１センサ５１の計測ログ、第２センサ５２の計測ログ及びアラーム３６の発報が、データとして保存されるので、サイホン排水管２３における排水不良の履歴を容易に確認することができる。第１センサ５１の計測ログ、第２センサ５２の計測ログ及びアラーム３６の発報のデータが、ネットワーク４８を介して記憶装置４９に保存される場合には、サイホン排水管２３における排水不良の発生を遠隔で検知したり、排水不良の履歴を遠隔で確認したりすることができる。
【００４５】
このように、本実施形態によれば、呼び水によりサイホン力を速やかに発生させることができるので、排水の滞留を防止するための一時貯留槽（図示せず）を不要とするか、一時貯留槽を設ける場合でも該一時貯留槽を小型化することができる。
【００４６】
台所シンク１６からの排水が少ない場合には、竪管２２が満流にならずサイホン力が発生しないこともあり得るが、本実施形態によれば、台所シンク１６からの排水が少ない場合でも、サイホン力を速やかに発生させることができる。
【００４７】
集合住宅においては、配管スペースに水道系統が設けられているので、該水道系統から配管を分岐させることで、給水部４０を構成することができる。したがって、給水部４０の設置のために大きなスペースを必要としない。
【００４８】
［第２実施形態］
図４、図５において、本実施形態に係るサイホン排水システム２０では、横引き管２１と竪管２２との境界部に、給水部４０の配管４２と接続される接続口５４が設けられている。具体的には、横引き管２１の下流側端部と湾曲部４４との間には、境界部の一例としての清掃口付き継手５６が設けられている。この清掃口付き継手５６における清掃口が接続口５４を兼ねている。清掃口付き継手５６は、継手本体５８と、蓋６０とを有している。接続口５４は、継手本体５８に設けられている。接続口５４は例えば円筒状に構成されている。蓋６０は、接続口５４を閉塞するための部材であり、ねじ嵌合により継手本体５８に着脱可能とされている。
【００４９】
給水部４０の配管４２は、接続口５４から取外し可能とされている。具体的には、図５に示されるように、配管４２の下端部が蓋６０に差し込まれている。上記のように、蓋６０は継手本体５８に対して着脱可能であるので、配管４２を接続口５４に接続したり、接続口５４から取り外したりすることが可能となっている。
【００５０】
このサイホン排水システム２０では、給水部４０の配管４２が、横引き管２１と竪管２２との境界部に設けられた接続口５４から取外し可能とされているので、給水部４０の配管４２を接続口５４から取り外すことで、該接続口５４をサイホン排水管２３の清掃口として使用することができる。このため、サイホン排水管２３における排水不良の発生時等、緊急対応的にサイホン排水管２３の清掃や点検を行い易い。
【００５１】
なお、給水部４０の配管４２と接続される接続口５４の構成は、上記の構成に限られず、例えば横引き管２１と竪管２２との境界部に３又の管継手を設け（図示せず）、該管継手に対して配管４２を着脱可能としてもよい。
【００５２】
他の部分については、第１実施形態と同様であるので、同一の部分には図面に同一の符号を付し、説明を省略する。
【００５３】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００５４】
第１実施形態では、第１センサ５１により第２排水管３２での排水の通過を検知して、呼び水を竪管２２に供給するものとしたが、これに限られず、使用者の操作により呼び水を任意に供給するようにしてもよい。
【符号の説明】
【００５５】
１０…サイホン排水システム、１６…台所シンク（水廻り器具）、１８…排水トラップ、２１…横引き管、２２…竪管、２３…サイホン排水管、３１…第１排水管、３２…第２排水管、３４…制御部、３６…アラーム、４０…給水部、４２…配管、４４…湾曲部（境界部）、４８…ネットワーク、４９…記憶装置、５１…第１センサ、５２…第２センサ、５４…接続口、５６…清掃口付き継手（境界部）
【図１】
2020020201.tif 000003
【図２】
2020020201.tif 000004
【図３】
2020020201.tif 000005
【図４】
2020020201.tif 000006
【図５】
2020020201.tif 000007